(57)【要約】  空気調和機の調和空気が供給される複数の被空調空間１０−１，１０−２，１０−３に対応して配置された複数のダクト分岐部７−１，７−２，７−３内に各々設けられ、個々のダクト分岐部７−１，７−２，７−３内の風路を開または閉の状態にする複数のダンパ９−１，９−２，９−３と、複数の吹出口８−１，８−２，８−３と、制御装置４と、を備え、制御装置４は、空気調和機が自動で風量調整を行うとき、複数の被空調空間１０−１，１０−２，１０−３に各々設けられた複数の吹出口８−１，８−２，８−３の数または面積の総和に対する開状態のダンパ９−１，９−２を有するダクト７−１，７−２に設けられた開口吹出口の数または面積の総和の比率である開口比と、開口吹出口が存在する被空調空間１０−１，１０−２で測定された温度と目標温度との温度差とに基づいて室内機２の風量を制御する制御風量４８ａを算出する制御風量算出部を有する。
2016079825.tif 000002
【特許請求の範囲】
【請求項１】
空気調和機と、
前記空気調和機の調和空気が供給される複数の被空調空間に対応して配置された複数のダクト内に各々設けられ、個々のダクト内の風路を開または閉の状態にする複数のダンパと、
前記複数のダクトの端部に各々配置される複数の吹出口と、
前記空気調和機および前記複数のダンパを制御する制御装置と、
を備え、
前記制御装置は、
前記空気調和機が自動で風量調整を行うとき、前記複数の被空調空間に各々設けられた前記複数の吹出口の数または面積の総和に対する開状態のダンパを有するダクトに設けられた開口吹出口の数または面積の総和の比率である開口比と、前記開口吹出口が存在する被空調空間で測定された温度と前記被空調空間の目標温度との温度差と、に基づいて、前記空気調和機を構成する室内機の制御風量を算出する制御風量算出部を有する
ことを特徴とするダクト式空気調和システム。
【請求項２】
前記制御風量算出部は、前記室内機の風量の変速段数を表す風量段数と、前記開口比と、前記温度差と、前記開口比が高いほど風量を強める傾向の制御風量と、が設定された制御風量テーブルを用いて、前記制御風量を算出することを特徴とする請求項１に記載のダクト式空気調和システム。
【請求項３】
前記制御風量算出部は、前記室内機の風量の変速段数を表す風量段数と、前記開口比と、前記温度差と、前記温度差が大きいほど風量を強める傾向の制御風量と、が設定された制御風量テーブルを用いて、前記制御風量を算出することを特徴とする請求項１に記載のダクト式空気調和システム。
【請求項４】
前記制御風量算出部は、前記開口吹出口が存在する複数の被空調空間で測定された複数の温度の平均値と、前記目標温度との温度差を用いることを特徴とする請求項１から請求項３の何れか１項に記載のダクト式空気調和システム。
【請求項５】
前記制御風量算出部は、前記開口吹出口が存在する複数の被空調空間で測定された複数の温度を前記開口吹出口の数で加重平均した加重平均温度と、前記目標温度との温度差を用いることを特徴とする請求項１から請求項３の何れか１項に記載のダクト式空気調和システム。
【発明の詳細な説明】
【技術分野】
【０００１】
本発明は、空気調和機に繋がるダクトにより複数の被空調空間へ調和空気を供給するダクト式空気調和システムに関する。
【背景技術】
【０００２】
特許文献１に示す従来のダクト式空気調和システムでは、複数の被空調空間内の室温を設定温度に保つため、可変風量（ＶＡＶ：Ｖａｒｉａｂｌｅ  Ａｉｒ  Ｖｏｌｕｍｅ）コンロールユニットでシステム全体の総要求風量が決定され、ダンパ開度の制御および送風機の回転数の制御が実施される。また特許文献１では、ダンパ開度および総要求風量の変化量に基づいて風量が微調整される。
【先行技術文献】
【特許文献】
【０００３】
【特許文献１】特開平８−２８９４１号公報
【発明の概要】
【発明が解決しようとする課題】
【０００４】
しかしながら、特許文献１で使用されるＶＡＶコンロールユニットは、静圧過不足情報およびダンパ開度情報といった空調制御用の情報を取得し、空気調和機の制御にフィードバックするという複雑な構成であるため、システム全体として高価なものになり一般の住宅には普及し難いという課題があった。また特許文献１に示す従来技術では、ダンパの開度により風量の調整が行われ、使用されるダンパは開度を細かく制御できるものでなくてはならないため、システム全体のコストが増加するという課題があった。【０００５】
本発明は、上記に鑑みてなされたものであって、複数の被空調空間内の環境に対応した風量制御を安価な構成で実現可能なダクト式空気調和システムを得ることを目的とする。
【課題を解決するための手段】
【０００６】
上述した課題を解決し、目的を達成するために、本発明に係るダクト式空気調和システムは、空気調和機と、前記空気調和機の調和空気が供給される複数の被空調空間に対応して配置された複数のダクト内に各々設けられ、個々のダクト内の風路を開または閉の状態にする複数のダンパと、前記複数のダクトの端部に各々配置される複数の吹出口と、前記空気調和機および前記複数のダンパを制御する制御装置と、を備え、前記制御装置は、前記空気調和機が自動で風量調整を行うとき、前記複数の被空調空間に各々設けられた前記複数の吹出口の数または面積の総和に対する開状態のダンパを有するダクトに設けられた開口吹出口の数または面積の総和の比率である開口比と、前記開口吹出口が存在する被空調空間で測定された温度と前記被空調空間の目標温度との温度差と、に基づいて、前記空気調和機を構成する室内機の制御風量を算出する制御風量算出部を有することを特徴とする。
【発明の効果】
【０００７】
本発明に係るダクト式空気調和システムは、複数の被空調空間内の環境に対応した風量制御を安価な構成で実現することができるという効果を奏する。
【図面の簡単な説明】
【０００８】
【図１】本発明の実施の形態１に係るダクト式空気調和システムの構成図
【図２】図１に示すダクト式空気調和システムにおいて吹出口数を変更した例を示す図
【図３】図１に示す制御装置の制御風量算出部の構成例を表す図
【図４】図３に示す制御風量テーブルの例を示す図
【図５】図１に示す制御装置の動作を示すフローチャート
【図６】本発明の実施の形態２に係るダクト式空気調和システムの構成図
【図７】図６に示す制御装置内の制御風量算出部の第１の構成例を表す図
【図８】図６に示す制御装置内の制御風量算出部の第２の構成例を表す図
【発明を実施するための形態】
【０００９】
以下に、本発明の実施の形態に係るダクト式空気調和システムを図面に基づいて詳細に説明する。なお、この実施の形態によりこの発明が限定されるものではない。
【００１０】
実施の形態１．
図１は本発明の実施の形態１に係るダクト式空気調和システムの構成図である。ダクト式空気調和システム１は、空気調和機を構成する室内機２と、空気調和機を構成し室内機２に接続された室外機３と、空気調和機を制御する制御装置４と、被空調空間１０−１に配置され制御線５を介して各種情報を制御装置４へ伝達するコントローラ６と、室内機２に接続され室内機２からの調和空気を複数の被空調空間１０−１，１０−２・・・１０−ｎへ供給するダクト７と、ダクト７から分岐し被空調空間１０−１，１０−２・・・１０−ｎに対応して配置される複数のダクト分岐部７−１，７−２・・・７−ｎと、複数のダクト分岐部７−１，７−２・・・７−ｎ内に各々配置され制御装置４からの制御によりダクト内の風路を開閉する複数のダンパ９−１，９−２・・・９−ｎと、複数のダクト分岐部７−１，７−２・・・７−ｎの端部に各々配置され調和空気を複数の被空調空間１０−１，１０−２・・・１０−ｎに排気する複数の吹出口８−１，８−２・・・８−ｎとを有する。ｎは１以上の整数である。なおダクト式空気調和システム１では１本のダクトと複数のダクト分岐部とが用いられているが、例えば、ダクト式空気調和システム１は、室内機２に複数のダクトの繋げ、室内機２からの調和空気を複数のダクトで複数の被空調空間へ供給する構成でもよい。
【００１１】
制御装置４、室内機２、室外機３、コントローラ６、および複数のダンパ９−１，９−２・・・９−ｎは制御線５で接続され、複数のダンパ９−１，９−２・・・９−ｎは、制御装置４により個々に開状態または閉状態に制御される。ダンパ９−１，９−２・・・９−ｎが開状態の場合、被空調空間１０−１，１０−２・・・１０−ｎへ調和空気が供給され、ダンパ９−１，９−２・・・９−ｎが閉状態の場合、被空調空間１０−１，１０−２・・・１０−ｎへの調和空気の供給が停止される。
【００１２】
コントローラ６は、被空調空間１０−１の室温を計測するサーミスタ１１を有し、計測された室温の情報が制御線５を介して制御装置４に送信される。またコントローラ６では、被空調空間１０−１，１０−２・・・１０−ｎにおける空調を制御するための各種設定が行われる。各種設定の内容は、例えば複数の被空調空間１０−１，１０−２・・・１０−ｎに各々設けられた吹出口８−１，８−２・・・８−ｎの数量の設定と、被空調空間の目標温度の設定と、室内機２が自動で風量調整を行うか、手動で室内機２の風量調整が行われるかを表す風量自動手動設定である。コントローラ６においてこれらの設定が行われた場合、吹出口８−１，８−２・・・８−ｎの数量を表す吹出口数情報ａと、目標温度情報ｂと、風量自動手動設定の結果を表す風量自動手動設定情報ｃとが生成され、これらの情報はサーミスタ１１で検出された室温情報ｄと共にコントローラ６から制御装置４に送信される。以下の説明ではこれらの情報をコントローラ出力情報６ａと称する。なお、コントローラ６で設定される内容は上記設定内容に限定されるものではない。
【００１３】
室内機２は、図示しない室内機ファンの回転数を段階的に変えることで調和空気の排出量を段階的に変化させる機能を有し、室内機２では排出風量の変速段数を表す風量段数情報ｅが管理されている。風量段数情報ｅは例えば室内機２の工場出荷時に予め室内機２に設定された情報であり、本実施の形態では、風量段数情報ｅを含む室内機出力情報２ａが室内機２から制御装置４に送信されることで、制御装置４において風量段数情報ｅが管理されているものとする。風量段数情報ｅの具体例は後述する。
【００１４】
図２は図１に示すダクト式空気調和システムにおいて吹出口数を変更した例を示す図である。被空調空間１０−１には、ダクト分岐部７−１の端部に３つの吹出口８−１が配置され、被空調空間１０−２には、ダクト分岐部７−２の端部に２つの吹出口８−２が配置され、被空調空間１０−３には、ダクト分岐部７−３の端部に１つの吹出口８−３が配置されている。図２ではダンパ９−１が開状態であり、ダンパ９−２，９−３が閉状態であると仮定する。この場合、室内機２から供給される調和空気は、ダクト分岐部７−１を通流して３つの吹出口８−１から被空調空間１０−１に供給されるが、被空調空間１０−２，１０−３には供給されない。このとき、被空調空間１０−１，１０−２，１０−３に供給される調和空気の度合を表す開口比は、例えば複数の吹出口８−１，８−２，８−３の吹出口数総和と、開状態のダンパ９−１を有するダクト分岐部７−１に設けられた開口吹出口である３つの吹出口８−１の開口吹出口数総和とを用いて求められる。すなわち、図２の例では、吹出口数総和に対する開口吹出口数総和の比率である開口比が５０％となる。また図２の例では、サーミスタ１１で検出される室温が２９℃であり、目標温度が２７℃であり、室内機２が冷房運転中であり、風量段数が５段であると仮定する。以下、図２に示すダクト式空気調和システム１の例を用いて室内機２の制御風量を算出する機能を具体的に説明する。
【００１５】
図１，２の例ではコントローラ６が被空調空間１０−１に設置されているが、コントローラ６は被空調空間１０−１以外の被空調空間に設置されるものでもよい。また図１，２の例ではサーミスタ１１で被空調空間１０−１の室温が検出されるが、室温の検出はサーミスタ１１に限定されものではなくサーミスタ以外の温度検出手段を利用してもよい。またサーミスタ１１はコントローラ６に内蔵されたものに限定されず、被空調空間内の何れかの場所に配置されたものでもよい。
【００１６】
図３は図１に示す制御装置内の制御風量算出部の構成例を表す図である。図３には、制御装置４が有する機能の内、室内機２の制御風量４８ａを算出するための機能である制御風量算出部４００のみ示されているが、制御装置４は、例えば図２に示すダンパ９−１，９−２，９−３の開閉を制御するダンパ制御機能といった制御風量算出機能以外の機能も有するものとする。
【００１７】
制御装置４は、コントローラ６からのコントローラ出力情報６ａと室内機２からの室内機出力情報２ａとを受信する情報受信部４０と、コントローラ出力情報６ａに含まれる吹出口数情報ａ、目標温度情報ｂ、風量自動手動設定情報ｃ、および室温情報ｄを記憶すると共に、室内機出力情報２ａに含まれる風量段数情報ｅと、図示しないダンパ制御機能で管理されダンパ９−１，９−２，９−３の開閉状態を表すダンパ開閉状態情報ｆとを記憶する記憶部４１と、吹出口数情報ａに基づいて複数の吹出口８−１，８−２，８−３の総和を算出する吹出口数総和算出部４３と、吹出口数情報ａとダンパ開閉状態情報ｆに基づいて複数の吹出口８−１，８−２，８−３の内、開状態のダンパを有するダクトに設けられた開口吹出口の総和を算出する開口吹出口数総和算出部４４と、開口比算出部４５と、目標温度情報ｂと室温情報ｄとに基づいて目標温度と室温との温度差を算出する温度差算出部４６と、風量自動手動設定情報ｃに基づいて風量調整が自動で行われる設定であるか手動で行われる設定であるかを判定する風量設定判定部４２と、風量段数と開口比と温度差と制御風量とが対応付けられた制御風量テーブル４７と、風量調整が自動と判断された場合、温度差算出部４６で算出された温度差と開口比算出部４５で算出された開口比と記憶部４１に記憶された風量段数とを、制御風量テーブル４７に照合して制御風量４８ａを決定して出力する制御風量決定部４８とを有する。
【００１８】
開口比算出部４５は、吹出口数総和算出部４３で算出された吹出口数総和と開口吹出口数総和算出部４４で算出された開口吹出口数総和とを用いて、被空調空間１０−１，１０−２，１０−３に供給される調和空気の度合い、すなわち吹出口数総和に対する開口吹出口数総和の比率である開口比を算出する。図２の例では開口比が５０％である。
【００１９】
温度差算出部４６では、室内機２が冷房運転中であるか暖房運転中であるかを考慮して温度差が算出される。例えば冷房運転中の場合、温度差算出部４６は（１）式で温度差を算出し、暖房運転中の場合、温度差算出部４６は（２）式で温度差を算出する。
（１）温度差＝室温−目標温度
（２）温度差＝目標温度−室温
【００２０】
図４は図３に示す制御風量テーブルの例を示す図である。制御風量テーブル４７には、１段から５段までの風量段数と、風量段数の値に対応付けられた１または複数の開口比を表す開口比ステージＲ１１からＲ５５と、温度差の値に対応付けられた複数の温度差ステージＳ１からＳ７と、室内機２の調和空気の排出風量を制御するための複数の制御風量とが対応付けられている。制御風量は、開口比が高いほど風量を強める傾向の制御量、または温度差が大きいほど風量を強める傾向の制御量である。「超強」、「強」、「弱」、「静」、「超静」、および「前回維持」で示されるものが制御風量の度合いを表す。図４では説明を簡単化するために制御風量を文字で表しているが、実際には制御風量に対応した値が設定されているものとする。制御風量テーブル４７の内容は、例えばコントローラ６が設置される環境に合わせて風量の強弱を部分的に変更することができるものとする。
【００２１】
例えば、風量段数情報ｅで得られた風量段数が５段、開口比算出部４５で算出された開口比が４０％以上６０％未満、温度差算出部４６で算出された温度差が６℃以上である場合、制御風量決定部４８では、図中（１）で示す「超強」に対応する制御風量４８ａを決定する。同様にして風量段数が５段、開口比が２０％未満、温度差が１℃未満の場合、制御風量決定部４８では、図中（２）で示す「超静」に対応する制御風量４８ａを決定する。
【００２２】
以下動作を説明する。図５は図１に示す制御装置の動作を示すフローチャートである。制御装置４の風量設定判定部４２において風量調整が自動で行われる設定であると判定された場合（ステップＳ１，Ｙｅｓ）、吹出口数総和算出部４３では吹出口数総和が算出され、開口吹出口数総和算出部４４では開口吹出口数総和が算出され、温度差算出部４６では室内機２が冷房運転中であるか暖房運転中であるかを判断して温度差が算出される（ステップＳ２）。図２の例では吹出口数総和が６であり、開口吹出口数総和が３であり、温度差が２℃である。開口比算出部４５では開口比が算出され（ステップＳ３）、図２の例では開口比が５０％となる。制御風量決定部４８では、制御風量テーブル４７が参照され、制御風量４８ａが決定される（ステップＳ４）。具体的には、風量段数が５段、開口比が５０％、および温度差が２℃であるため、制御風量決定部４８では、制御風量テーブル４７の開口比ステージＲ５３と温度差ステージＳ３とに対応する「弱」の制御風量４８ａが決定される。決定された制御風量４８ａは室内機２へ送信される（ステップＳ５）。
【００２３】
風量調整が自動で行われる設定ではないと判定された場合（ステップＳ１，Ｎｏ）、コントローラ６においてユーザが設定した風量を室内機２に送信する（ステップＳ６）。
【００２４】
実施の形態１のダクト式空気調和システム１では、ダンパの開閉状態および吹出口の数に着目することで、開状態または閉状態に制御されるダンパを使用しながらも、吹出口の開口数が多いときまたは温度差が大きい場合、風量を強め、吹出口の開口数が少なくまたは温度差が小さい場合、風量を弱めるという制御を実現することができる。従って、開度を細かく制御可能なダンパと静圧過不足情報およびダンパ開度を取得するためのＶＡＶコンロールユニットとを用いる必要がなく、ユーザはダクト式空気調和システムを低コストで構築することが可能となる。
【００２５】
実施の形態２．
図６は本発明の実施の形態２に係るダクト式空気調和システムの構成図である。実施の形態１のダクト式空気調和システム１との違いは以下の通りである。ダクト式空気調和システム１Ａでは、コントローラ６にサーミスタ１１−１が設けられ、被空調空間１０−１以外の複数の被空調空間１０−２・・・１０−ｎの内、被空調空間１０−２にはサーミスタ１１−２が設けられ、被空調空間１０−ｎにはサーミスタ１１−ｎが設けられている。ｎは１以上の整数である。サーミスタ１１−２・・・１１−ｎで各々検出された室温情報１１ａは、制御線１２で制御装置４へ送信される。以下、実施の形態１と同一部分には同一符号を付してその説明を省略し、ここでは異なる部分についてのみ述べる。
【００２６】
図７は図６に示す制御装置内の制御風量算出部の第１の構成例を表す図である。制御風量算出部４１０は、コントローラ出力情報６ａと室内機出力情報２ａとサーミスタ１１−１，１１−２・・・１１−ｎで各々検出された室温情報１１ａとを受信する情報受信部４０Ａと、吹出口数情報ａ、目標温度情報ｂ、風量自動手動設定情報ｃ、室温情報ｄ、風量段数情報ｅ、ダンパ開閉状態情報ｆ、および室温情報１１ａを記憶する記憶部４１Ａと、風量設定判定部４２と、吹出口数総和算出部４３と、開口吹出口数総和算出部４４と、開口比算出部４５と、室温情報ｄ、ダンパ開閉状態情報ｆ、および室温情報１１ａに基づいてダンパが開口状態の吹出口が配置された複数の被空調空間の温度を平均化した温度を算出する平均温度算出部４９と、平均温度算出部４９で算出された平均温度と目標温度との温度差を算出する温度差算出部４６Ａと、開口比算出部４５と、制御風量テーブル４７と、制御風量決定部４８とを有する。
【００２７】
実施の形態１のダクト式空気調和システム１では、サーミスタ１１からの室温情報ｄを用いて制御風量４８ａが決定されたが、ダクト式空気調和システム１Ａでは、ダンパの状態が開になっている複数の被空調空間で検出された複数の温度を用いて制御風量４８ａが決定される。例えば図６に示す被空調空間１０−１，１０−２のダンパ９−１，９−２のみが開状態である場合、平均温度算出部４９は、ダンパ開閉状態情報ｆによりダンパが開口状態の吹出口が配置された被空調空間１０−１，１０−２を特定し、被空調空間１０−１に配置されたサーミスタ１１−１で検出された室温と被空調空間１０−２のサーミスタ１１−２で検出された室温との平均値を算出する。温度差算出部４６Ａは、平均温度算出部４９で算出された平均値を、温度差を算出するための室温として使用する。これにより被空調空間１０−１と被空調空間１０−２の温度むらを軽減することができる。
【００２８】
図８は図６に示す制御装置内の制御風量算出部の第２の構成例を表す図である。制御風量算出部４２０は、情報受信部４０Ａと、記憶部４１Ａと、風量設定判定部４２と、吹出口数総和算出部４３と、開口吹出口数総和算出部４４と、開口比算出部４５と、吹出口数情報ａ、室温情報ｄ、ダンパ開閉状態情報ｆ、および室温情報１１ａに基づいてダンパが開口状態の吹出口が配置された複数の被空調空間の温度を加重平均化した温度を算出する加重平均温度算出部５０と、加重平均温度算出部５０で算出された加重平均温度と目標温度との温度差を算出する温度差算出部４６Ｂと、開口比算出部４５と、制御風量テーブル４７と、制御風量決定部４８とを有する。
【００２９】
吹出口数が多い被空調空間は面積が広く、空調され難いことが想定される。ダクト式空気調和システム１Ｂでは、ダンパの状態が開になっている複数の被空調空間で検出された複数の温度を用いて、複数の被空調空間の吹出口数に基づく温度の重みづけを行う。重みづけの方法としては吹出口数と室温の加重平均を用いる。例えば図６のダクト式空気調和システム１Ａにおいて、被空調空間１０−１，１０−２のダンパ９−１，９−２が開状態であり、被空調空間１０−１の室温が３０℃で吹出口が５つであり、被空調空間１０−２の室温が２５℃で吹出口が１つである場合、加重平均温度算出部５０は、吹出口数情報ａとダンパ開閉状態情報ｆにより、ダンパが開口状態の吹出口が配置された被空調空間１０−１，１０−２の開口吹出口の数を求め、（３）式で加重平均温度を求める。
（３）加重平均温度＝（３０×５＋２５×１）／６＝２９．２℃
【００３０】
例えば風量段数が５段、開口比が５０％、目標温度が２５℃、また室内機２が冷房運転中であると仮定した場合、図７に示す制御風量算出部４１０の平均温度算出部４９で算出される温度は２７．５であり、温度差算出部４６Ａで算出される温度差は２．５℃となる。これに対して図８に示す制御風量算出部４２０の加重平均温度算出部５０で算出される温度は２９．２℃であるため、温度差算出部４６Ｂで算出される温度差は４．２℃になる。温度差が２．５℃である場合、制御風量決定部４８では図４に示す「弱」の制御風量４８ａが決定されるが、温度差が４．２℃である場合、制御風量決定部４８では図４に示す「強」の制御風量４８ａが決定される。このように空調され難い被空調空間１０−１を考慮した風量の決定を行うことができ、被空調空間１０−１の室温を目標温度へより早く近づけることができる。
【００３１】
なお実施の形態１，２では、吹出口数総和と開口吹出口数総和とを用いて開口比を算出する例を説明したが、複数の吹出口の各々の断面積が異なる場合を考慮して開口比は吹出口面積総和と開口吹出口面積総和とを用いて求めてもよい。
【００３２】
以上に説明したように実施の形態１，２のダクト式空気調和システム１，１Ａは、空気調和機と、前記空気調和機の調和空気が供給される複数の被空調空間に対応して配置された複数のダクト内に各々設けられ、個々のダクト内の風路を開または閉の状態にする複数のダンパと、前記複数のダクトの端部に各々配置される複数の吹出口と、前記空気調和機および前記複数のダンパを制御する制御装置と、を備え、前記制御装置は、前記空気調和機が自動で風量調整を行うとき、前記複数の被空調空間に各々設けられた前記複数の吹出口の数または面積の総和に対する開状態のダンパを有するダクトに設けられた開口吹出口の数または面積の総和の比率である開口比と、前記開口吹出口が存在する被空調空間で測定された温度と前記被空調空間の目標温度との温度差と、に基づいて、前記空気調和機を構成する室内機の風量を制御する制御風量を決定する制御風量算出部４００を有する。この構成により、開度を細かく制御可能なダンパと、静圧過不足情報およびダンパ開度を取得するためのＶＡＶコンロールユニットとを用いることなく風量制御を行うことができ、ユーザはダクト式空気調和システムを低コストで構築することができる。またダクト式空気調和システム１，１ＡによればＶＡＶコンロールユニットを用いる必要がないため構成部品の減容化を図ることができる。またダンパは開または閉の動作のみ行うものでよく装置構成が簡素化されることから長寿命化を図ることができる。
【００３３】
また実施の形態２の制御風量算出部４１０は、前記開口吹出口が存在する複数の被空調空間で測定された複数の温度の平均値と前記目標温度との温度差を用いる。この構成により、複数の被空調空間の温度むらを軽減することができる。
【００３４】
また実施の形態２の制御風量算出部４２０は、前記開口吹出口が存在する複数の被空調空間で測定された複数の温度を前記開口吹出口の数で加重平均した加重平均温度と前記目標温度との温度差を用いる。この構成により、空調され難い被空調空間の室温を目標温度へより早く近づけることができる。
【００３５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３６】
１，１Ａ  ダクト式空気調和システム、２  室内機、２ａ  室内機出力情報、３  室外機、４  制御装置、５  制御線、６  コントローラ、６ａ  コントロータ出力情報、７  ダクト、７−１，７−２，７−３，７−ｎ  ダクト分岐部、８−１，８−２，８−３，８−ｎ  吹出口、９−１，９−２，９−３，９−ｎ  ダンパ、１０−１，１０−２，１０−３，１０−ｎ  被空調空間、１１，１１−１，１１−２，１１−ｎ  サーミスタ、１１ａ  室温情報、１２  制御線、４０，４０Ａ  情報受信部、４１，４１Ａ  記憶部、４２  風量設定判定部、４３  吹出口数総和算出部、４４  開口吹出口数総和算出部、４５  開口比算出部、４６，４６Ａ，４６Ｂ  温度差算出部、４７  制御風量テーブル、４８  制御風量決定部、４８ａ  制御風量、４９  平均温度算出部、５０  加重平均温度算出部、４００，４１０，４２０  制御風量算出部。
【図１】
2016079825.tif 000003
【図２】
2016079825.tif 000004
【図３】
2016079825.tif 000005
【図４】
2016079825.tif 000006
【図５】
2016079825.tif 000007
【図６】
2016079825.tif 000008
【図７】
2016079825.tif 000009
【図８】
2016079825.tif 000010
【国際調査報告】
2016079825.tif 000011
2016079825.tif 000012
2016079825.tif 000013
2016079825.tif 000014